(57)【要約】【課題】  （１）厚紙搬送、ＣＤ−Ｒトレイ搬送の先端突入・後端排出時の搬送精度向上。  （２）厚紙時の先後端のフチ無印字対応。  （３）ＣＤ−Ｒトレイおよび装置本体のコンパクト化、特にＣＤ−Ｒトレイの本体格納構成におけるコンパクト化。【解決手段】  厚紙搬送、ＣＤ−Ｒトレイ搬送時において、先端突入前に、排紙ローラを圧解除する。後端排出前にＬＦローラの圧解除を行う。【選択図】  図１
2007118440.tif 000002
【特許請求の範囲】
【請求項１】
記録媒体を位置決め保持し、記録媒体を搭載して画像記録を行う記録媒体搬送トレイ、または、厚紙の記録媒体の搬送を行うための水平搬送経路を有し、記録媒体に印字を行う記録ヘッドの印字上流側に、前記記録媒体搬送トレイ、または、記録媒体に対して、従動回転体を加圧して搬送を行う第１搬送ローラ対、記録ヘッドの印字下流側に、前記記録媒体搬送トレイ、または、記録媒体に対して、従動回転体を加圧して搬送を行う第２搬送ローラ対を有する記録装置において、前記記録媒体の先端部分の印字動作を、第１搬送ローラ対の搬送により行う。次に、前記記録媒体搬送トレイ、または、記録媒体の先端が、第２搬送ローラ対のニップに搬送される前に、第２搬送ローラ対の従動回転体の圧解除を行い、前記記録媒体搬送トレイ、または、記録媒体の先端が、第２搬送ローラ対のニップを通過した後、従動回転体から、再び第２搬送ローラに加圧を行う。次に、第１、第２搬送ローラ対の搬送により、記録ヘッドから印字動作行う。次に、前記記録媒体搬送トレイ、または、記録媒体の後端が、第１搬送ローラ対のニップを通過する前に、第１搬送ローラの従動回転体の圧解除を行い、前記記録媒体搬送トレイ、または、記録媒体の後端が、第１搬送ローラのニップを通過した後は、前記前記記録媒体搬送トレイ、または、記録媒体の搬送を第２搬送ローラ対で行うことを特徴とする記録装置。
【請求項２】
前記記録媒体搬送トレイ、または、厚紙の記録媒体を、装置本体の前面部から供給し、第２搬送ローラ対から、第１搬送ローラ対へと搬送を行い、第１搬送ローラ対のニップを抜ける前に、第１搬送ローラ対の回転方向を反転させ、その後の印字動作を行うことを特徴とする請求項１に記載の記録装置。
【請求項３】
前記記録媒体搬送トレイ、または、厚紙の記録媒体を、装置本体の背面部から供給し、前記記録媒体搬送トレイ、または、記録媒体の先端を第１搬送ローラ対へと搬送し、その後の印字動作を行うことを特徴とする請求項１に記載の記録装置。
【請求項４】
記録媒体を位置決め保持し、記録媒体を搭載して画像記録を行う前記記録媒体搬送トレイが、非使用時には、第１搬送ローラ対よりも印字上流側部分の装置本体内に格納され、印字動作時には、記録媒体搬送トレイの先端を第１搬送ローラ部に供給し、その後の印字動作を行うことを特徴とする請求項１に記載の記録装置。
【請求項５】
記録媒体を位置決め保持し、記録媒体を搭載して画像記録を行う前記記録媒体搬送トレイの、第２搬送ローラの従動回転体を有し、記録媒体搬送トレイ上の記録媒体と当接する部分の従動回転体と、前記記録媒体搬送トレイ上の記録媒体の搬送部の外側にあり、前記記録媒体搬送トレイだけに当接する従動回転体を独立加圧する構成を有すると共に、前記記録媒体搬送トレイ上の記録媒体の印字動作において、記録媒体と当接する従動回転体は圧を解除した状態に保持し、記録媒体搬送トレイだけに当接する従動回転体の動作を行うことを特徴とする請求項１に記載の記録装置。
【請求項６】
前記記録媒体搬送トレイだけに当接する第２搬送ローラの従動回転体が、記録媒体の通常印字の搬送部の外側（記録媒体の最大サイズの外側）に構成され、前記記録媒体搬送トレイだけに当接する第２搬送ローラの従動回転体が、通常の記録媒体とは当接しない構成を有することを特徴とする請求項５に記載の記録装置。
【請求項７】
第２搬送ローラの従動回転体が拍車ローラで構成されることを特徴とする請求項１に記載の記録装置。
【請求項８】
前記記録媒体搬送トレイ上の記録媒体と当接する部分の従動回転体を拍車ローラで構成することを特徴とする請求項６に記載の記録装置。
【発明の詳細な説明】
【技術分野】
【０００１】
本発明は、プリンタ等の記録装置の記録媒体搬送装置に関するものである。
【背景技術】
【０００２】
従来の記録媒体搬送装置の厚紙搬送について、図３１〜図３３を用いて説明する。１は複数の吐出口１Aより選択的にインクを吐出して記録を行う記録ヘッド、記録ヘッド１は不図示のキャリッジにより位置決め保持され、記録媒体の搬送方向に垂直な方向に往復移動し記録媒体に印字を行う。２は記録ヘッド１に対向して設けられ、印字部で記録媒体を保持するプラテンである。
【０００３】
記録ヘッド１の印字上流側には、第１の搬送ローラ３と第１の搬送ローラ３に対して不図示の弾性部材で第１の搬送ローラ３に加圧し、従動回転する従動コロ４が設けられている。記録ヘッド１の印字下流側には、第２の搬送ローラ５と第２の搬送ローラ５に対して不図示の弾性部材で第２の搬送ローラ５に加圧し、従動回転する従動コロ（または拍車）６が設けられている。７は厚紙の記録媒体であり、剛性が高いため、水平搬送パスで搬送が行われる。
【０００４】
次に、厚紙の記録媒体７の搬送および印字動作について説明する。記録ヘッド１の上流側から第１の搬送ローラ３と従動コロ４により、図３１に示すように矢印A方向に記録媒体７が搬送される。次に記録ヘッド１の吐出口１A部に記録媒体７が搬送されると、記録ヘッド１の吐出口１Aより、記録媒体７に対して印字が行われる。さらに、記録媒体７が矢印A方向に搬送され、記録媒体７の先端７Aが、第２の搬送ローラ５と従動コロ（または拍車）６のニップ部に侵入すると、図３２に示すように、記録媒体７の先端部７Aで、従動コロ（または拍車）６を矢印B方向に移動させながら搬送が行われる。次に、記録媒体７は第１の搬送ローラ３および従動コロ４と第２の搬送ローラ５および従動コロ(または拍車)６により、矢印A方向に搬送され、印字動作が行われる。記録媒体７の後端７Bが、第１の搬送ローラ３と従動コロ４を抜ける時には、図３３に示すように従動コロ４が矢印C方向に戻りながら搬送が行われる。
【０００５】
次に、CD-R、DVDやカード等の記録媒体８（以下、まとめてコンパクトディスクCDで表現する。）を搭載した記録媒体搬送トレイ９の搬送構成について図  ３４〜図３９を用いて説明する。1〜６の構成については、上記の従来例の構成と同じであるため説明は省略する。図３４に示すように、第１の搬送ローラ３および従動コロ４に対して、さらに印字上流側の、装置本体１０の内部に記録媒体搬送トレイ９が格納されている。１１は、記録媒体搬送トレイ９の格納時に記録媒体搬送トレイ９を保持する格納台である。次に印字動作について説明する。印字情報が与えられると、図３４に示すように記録媒体搬送トレイ９が、不図示の搬送手段により、矢印D方向に搬送され、第１の搬送ローラ３と従動コロ４に搬送される。これと同期して、第２の搬送ローラ５の従動コロ（または拍車）６が不図示の圧解除手段により矢印E方向に移動し圧解除が行われる。次に図３５に示すように、記録媒体搬送トレイ９は、第１の搬送ローラ３と従動コロ４により矢印A方向に搬送される。さらに、図３６に示すように記録媒体搬送トレイ９は、矢印A方向に搬送され、第２の搬送ローラ５を通過し、記録媒体搬送トレイ９上に構成された、CD８を位置決め保持する開口部９Cが装置本体の外に露出して、ユーザがCD８を開口部９Cに装着できる（矢印F方向に装着する）位置まで搬送されて停止する。CD８が開口部９Cに装着されると、第１の搬送ローラ３および、第２の搬送ローラ５を逆転（矢印H方向）させて記録媒体搬送トレイ９を矢印G方向に搬送し、装置本体１０の内部に引き込んでいく。矢印G方向に搬送された記録媒体搬送トレイ９は、図３７に示す位置まで搬送され停止する。次に、図３８に示すように、第１の搬送ローラ３および第２の搬送ローラ５を逆転（矢印I方向）させて、記録媒体搬送トレイ９を矢印A方向に搬送する。この時、記録媒体搬送トレイ９の開口部９Cに位置決め保持された、CD８に記録ヘッド１の吐出口１Aから印字動作を行いながら矢印A方向に搬送される。次に図３９に示すように、印字が終了し、ユーザがCD８を交換できる位置まで矢印A方向に移動し停止する。この状態で、CD８を矢印J方向に取り出し、CD８への印字は終了する。次に、第１の搬送ローラ３および第２の搬送ローラ５を逆転（矢印H方向）させて、記録媒体搬送トレイ９を矢印G方向に搬送し、装置本体１０の内部に引き込み、図３４の記録媒体搬送トレイ９が格納されている初期状態に戻って、印字動作が終了する。
【０００６】
又、別の従来例としては、特許文献１〜特許文献４をあげることが出来る。
【特許文献１】特開２００４−２１６５９２号公報
【特許文献２】特開２００４−２１７３２７号公報
【特許文献３】特開２００４−２１６３２８号公報
【特許文献４】特開２００４−２０９９４８号公報
【発明の開示】
【発明が解決しようとする課題】
【０００７】
しかしながら、上記従来例において、次のような課題があった。
【０００８】
まず、厚紙の記録媒体７の搬送における課題について説明する。図３２に示すように、記録媒体７が矢印A方向に搬送され、記録媒体７の先端７Aが、第２の搬送ローラ５と従動コロ（または拍車）６のニップ部に侵入すると、記録媒体７の先端部７Aで、従動コロ（または拍車）６を矢印B方向に移動させながら搬送が行われる。この時、記録媒体７の矢印A方向の搬送抵抗が瞬間的に高くなり、駆動系の微小なタワミやガタの影響で、記録媒体７の搬送精度がばらついたり、搬送抵抗が高くなったことにより、第１の搬送ローラ３および従動コロ４のニップ部で微小な滑りが発生し、搬送精度が不均一になるという現象が発生する。この搬送精度の悪化により、印字画像がみだれ、搬送方向のムラ（横スジ、搬送ムラ等）が発生するという問題があった。同様に、記録媒体７の後端７Bが、第１の搬送ローラ３と従動コロ４を抜ける時には、図３３に示すように従動コロ４が矢印C方向に戻りながら搬送が行われる。この時には、第１の搬送ローラ３の搬送力が、記録媒体７の後端７Bのエッジ部を介して伝えられるため、搬送が不安定になり、搬送精度が微小にばらついたり、従動コロ４のC方向への戻り力により、後端７Bが従動コロ４に押され、後端７B部が矢印A方向に瞬間的に押される現象が発生し、これにより、搬送精度が乱れるという問題があった。この搬送精度の悪化により、印字画像がみだれ、搬送方向のムラ（横スジ、搬送ムラ等）が発生するという問題があった。また、これらの問題に対して、厚紙搬送時には、先端と後端の印字範囲を狭めて、  記録媒体７が、第１の搬送ローラ３、第２の搬送ローラ５のニップ部からはずれない構成とし、先端７A、後端７B部で発生する上記問題の発生を防ぐ対策が用いられた。しかし、厚紙時の印字範囲が狭くなってしまう、また、厚紙のフチ無し印字に応できないという問題が残っていた。
【０００９】
次に、CD-R、DVDやカード等の記録媒体（CD）８を搭載した記録媒体搬送トレイ９の搬送構成についての課題について説明する。
【００１０】
印字動作において、第２の搬送ローラ５の従動コロ（または拍車）６が、不図示の圧解除手段により矢印E方向に移動された状態で一連の動作が行なわれる。
【００１１】
また、図３４〜図３９に示したように、印字上流側の、装置本体１０の内部に記録媒体搬送トレイ９が格納される構成の場合には、上記の一連の動作を満足するためには、記録媒体搬送トレイ９が搬送方向に長くなり、記録媒体搬送トレイ９を、装置本体１０に格納するために印字上流側の装置本体１０の奥行が非常に大きくなり、装置のコンパクト化の障害になってしまうという問題があった。また装置が大型化することで、コストが高くなってしまうという問題があった。
【課題を解決するための手段】
【００１２】
上記目的を達成するために、本出願に係る第1の発明は、記録媒体を位置決め保持し、記録媒体を搭載して画像記録を行う記録媒体搬送トレイ、または、厚紙の記録媒体の搬送を行うための水平搬送経路を有し、記録媒体に印字を行う記録ヘッドの印字上流側に、前記記録媒体搬送トレイ、または、記録媒体に対して、従動回転体を加圧して搬送を行う第１搬送ローラ対、記録ヘッドの印字下流側に、前記記録媒体搬送トレイ、または、記録媒体に対して、従動回転体を加圧して搬送を行う第２搬送ローラ対を有する記録装置において、前記記録媒体の先端部分の印字動作を、第１搬送ローラ対の搬送により行う。次に、前記記録媒体搬送トレイ、または、記録媒体の先端が、第２搬送ローラ対のニップに搬送される前に、第２搬送ローラ対の従動回転体の圧解除を行い、前記記録媒体搬送トレイ、または、記録媒体の先端が、第２搬送ローラ対のニップを通過した後、従動回転体から、再び第２搬送ローラに加圧を行う。次に、第１、第２搬送ローラ対の搬送により、記録ヘッドから印字動作行う。次に、前記記録媒体搬送トレイ、または、記録媒体の後端が、第１搬送ローラ対のニップを通過する前に、第１搬送ローラの従動回転体の圧解除を行い、前記記録媒体搬送トレイ、または、記録媒体の後端が、第１搬送ローラのニップを通過した後は、前記前記記録媒体搬送トレイ、または、記録媒体の搬送を第２搬送ローラ対で行うことで構成されるものであり、厚紙搬送時の先端、後端の搬送ローラ対への突入時、排出時の搬送精度の悪化を防止し、ムラのない安定した印字を行うことを実現するものである。またこの構成により、厚紙時の先端、後端印字の印字可能範囲を広げ、厚紙のフチ無し印字の実現を可能にするものである。
【００１３】
また、CD-R、DVDやカード等の記録媒体を搭載した記録媒体搬送トレイの搬送時、特に印字上流側の、装置本体の内部に記録媒体搬送トレイが格納される構成の場合において、記録媒体搬送トレイの長さを短くすることが可能となり、これにより、印字上流側の装置本体の奥行を大幅に小さくすることができ、装置本体のコンパクト化と低コスト化を実現するものである。
【００１４】
本出願に係る第２の発明は、前記記録媒体搬送トレイ、または、厚紙の記録媒体を、装置本体の前面部から供給し、第２搬送ローラ対から、第１搬送ローラ対へと搬送を行い、第１搬送ローラ対のニップを抜ける前に、第１搬送ローラ対の回転方向を反転させ、その後の印字動作を、第１の発明に示す構成で行うものであり、第１の発明を実現するための具体構成である。
【００１５】
本出願に係る第３の発明は、前記記録媒体搬送トレイ、または、厚紙の記録媒体を、装置本体の背面部から供給し、前記記録媒体搬送トレイ、または、記録媒体の先端を第１搬送ローラ対へと搬送し、その後の印字動作を、第１の発明に示す構成で行うものであり、第１の発明を実現するための具体構成である。
【００１６】
本出願に係る第４の発明は、記録媒体を位置決め保持し、記録媒体を搭載して画像記録を行う前記記録媒体搬送トレイが、非使用時には、第１搬送ローラ対よりも印字上流側部分の装置本体内に格納され、印字動作時には、記録媒体搬送トレイの先端を第１搬送ローラ部に供給し、その後の印字動作を、第１の発明に示す構成で行うものであり、第１の発明を実現するための具体構成である。
【００１７】
本出願に係る第５の発明は、記録媒体を位置決め保持し、記録媒体を搭載して画像記録を行う前記記録媒体搬送トレイの、第２搬送ローラの従動回転体の構成において、記録媒体搬送トレイ上の記録媒体と当接する部分の従動回転体と、前記記録媒体搬送トレイ上の記録媒体の搬送部の外側にあり、前記記録媒体搬送トレイだけに当接する従動回転体を独立加圧する構成を有し、前記記録媒体搬送トレイ上の記録媒体の印字動作において、記録媒体と当接する従動回転体は圧を解除した状態に保持し、記録媒体搬送トレイだけに当接する従動回転体の動作を、第１の発明に示す構成で行うものであり、第１の発明を実現するための具体構成である。
【００１８】
本出願に係る第６の発明は、第５の発明において、前記記録媒体搬送トレイだけに当接する第２搬送ローラの従動回転体が、記録媒体の通常印字の搬送部の外側（記録媒体の最大サイズの外側）に構成され、前記記録媒体搬送トレイだけに当接する第２搬送ローラの従動回転体が、通常の記録媒体とは当接しない構成を有するものであり、第５の発明を実現するための具体構成である。
【００１９】
本出願に係る第７の発明は、第１の発明において、第２搬送ローラの従動回転体が拍車ローラで構成されるものであり、第１の発明を実現するための具体構成である。
【００２０】
本出願に係る第８の発明は、第６の発明において、前記記録媒体搬送トレイ上の記録媒体と当接する部分の従動回転体を拍車ローラで構成するものであり、第６の発明を実現するための具体構成である。
【発明の効果】
【００２１】
以上説明したように、本出願に係る第1の発明によれば、記録媒体を位置決め保持し、記録媒体を搭載して画像記録を行う記録媒体搬送トレイ、または、厚紙の記録媒体の搬送を行うための水平搬送経路を有し、記録媒体に印字を行う記録ヘッドの印字上流側に、前記記録媒体搬送トレイ、または、記録媒体に対して、従動回転体を加圧して搬送を行う第１搬送ローラ対、記録ヘッドの印字下流側に、前記記録媒体搬送トレイ、または、記録媒体に対して、従動回転体を加圧して搬送を行う第２搬送ローラ対を有する記録装置において、前記記録媒体の先端部分の印字動作を、第１搬送ローラ対の搬送により行う。次に、前記記録媒体搬送トレイ、または、記録媒体の先端が、第２搬送ローラ対のニップに搬送される前に、第２搬送ローラ対の従動回転体の圧解除を行い、前記記録媒体搬送トレイ、または、記録媒体の先端が、第２搬送ローラ対のニップを通過した後、従動回転体から、再び第２搬送ローラに加圧を行う。次に、第１、第２搬送ローラ対の搬送により、記録ヘッドから印字動作行う。次に、前記記録媒体搬送トレイ、または、記録媒体の後端が、第１搬送ローラ対のニップを通過する前に、第１搬送ローラの従動回転体の圧解除を行い、前記記録媒体搬送トレイ、または、記録媒体の後端が、第１搬送ローラのニップを通過した後は、前記前記記録媒体搬送トレイ、または、記録媒体の搬送を第２搬送ローラ対で行うことで構成されるものであり、厚紙搬送時の先端、後端の搬送ローラ対への突入時、排出時の搬送精度の悪化を防止し、ムラのない安定した印字を行うことを実現するものである。またこの構成により、厚紙時の先端、後端印字の印字可能範囲を広げ、フチ無し印字の実現を可能にするものである。
【００２２】
また、CD-R、DVDやカード等の記録媒体を搭載した記録媒体搬送トレイの搬送時、特に、印字上流側の、装置本体の内部に記録媒体搬送トレイが格納される構成の場合において、記録媒体搬送トレイの長さを短くすることが可能となり、これにより、印字上流側の装置本体の奥行を大幅に小さくすることができ、装置本体のコンパクト化と低コスト化を実現するものである。
【００２３】
本出願に係る第２の発明によれば、前記記録媒体搬送トレイ、または、厚紙の記録媒体を、装置本体の前面部から供給し、第２搬送ローラ対から、第１搬送ローラ対へと搬送を行い、第１搬送ローラ対のニップを抜ける前に、第１搬送ローラ対の回転方向を反転させ、その後の印字動作を、第１の発明に示す構成で行うものであり、第１の発明を実現するための具体構成である。
【００２４】
本出願に係る第３の発によれば、前記記録媒体搬送トレイ、または、厚紙の記録媒体を、装置本体の背面部から供給し、前記記録媒体搬送トレイ、または、記録媒体の先端を第１搬送ローラ対へと搬送し、その後の印字動作を、第１の発明に示す構成で行うものであり、第１の発明を実現するための具体構成である。
【００２５】
本出願に係る第４の発明によれば、記録媒体を位置決め保持し、記録媒体を搭載して画像記録を行う前記記録媒体搬送トレイが、非使用時には、第１搬送ローラ対よりも印字上流側部分の装置本体内に格納され、印字動作時には、記録媒体搬送トレイの先端を第１搬送ローラ部に供給し、その後の印字動作を、第１の発明に示す構成で行うものであり、第１の発明を実現するための具体構成である。
【００２６】
本出願に係る第５の発明によれば、記録媒体を位置決め保持し、記録媒体を搭載して画像記録を行う前記記録媒体搬送トレイの、第２搬送ローラの従動回転体の構成において、記録媒体搬送トレイ上の記録媒体と当接する部分の従動回転体と、前記記録媒体搬送トレイ上の記録媒体の搬送部の外側にあり、前記記録媒体搬送トレイだけに当接する従動回転体を独立加圧する構成を有し、前記記録媒体搬送トレイ上の記録媒体の印字動作において、記録媒体と当接する従動回転体は圧を解除した状態に保持し、記録媒体搬送トレイだけに当接する従動回転体の動作を、第１の発明に示す構成で行うものであり、第１の発明を実現するための具体構成である。
【００２７】
本出願に係る第６の発明よれば、第５の発明において、前記記録媒体搬送トレイだけに当接する第２搬送ローラの従動回転体が、記録媒体の通常印字の搬送部の外側（記録媒体の最大サイズの外側）に構成され、前記記録媒体搬送トレイだけに当接する第２搬送ローラの従動回転体が、通常の記録媒体とは当接しない構成を有するものであり、第５の発明を実現するための具体構成である。
【００２８】
本出願に係る第７の発明よれば、第１の発明において、第２搬送ローラの従動回転体が拍車ローラで構成されるものであり、第１の発明を実現するための具体構成である。
【００２９】
本出願に係る第８の発明によれば、第６の発明において、前記記録媒体搬送トレイ上の記録媒体と当接する部分の従動回転体を拍車ローラで構成するものであり、第６の発明を実現するための具体構成である。
【発明を実施するための最良の形態】
【００３０】
次に、本発明の詳細を実施例の記述に従って説明する。
【００３１】
（第１の実施例）
本発明の第１の実施例ある、記録媒体搬送装置の厚紙搬送（水平搬送）について図１〜図６に用いて説明する。図１〜５は第１の実施例を示す本体断面図、図６は搬送構成を示す斜視図である。
【００３２】
１は複数の吐出口１Aより選択的にインクを吐出して記録を行う記録ヘッド、記録ヘッド１は不図示のキャリッジにより位置決め保持され、記録媒体の搬送方向に垂直な方向（矢印K方向）に往復移動し記録媒体に印字を行う。２は記録ヘッド１に対向して設けられ、印字部で記録媒体を保持するプラテンである。
【００３３】
記録ヘッド１の印字上流側には、第１の搬送ローラ３と第１の搬送ローラ３に対して不図示の弾性部材で第１の搬送ローラ３に加圧し、従動回転する従動コロ４が設けられている。記録ヘッド１の印字下流側には、第２の搬送ローラ５と第２の搬送ローラ５に対して不図示の弾性部材で第２の搬送ローラ５に加圧し、従動回転する従動コロ（または拍車）６が設けられている。７は厚紙の記録媒体であり、剛性が高いため、水平搬送パスで搬送が行われる。装置本体１０には、水平搬送パスの他に、通常の普通紙の印字のために、自動給紙手段が設けられている。１５は給紙ローラで紙ガイド１５，１６により矢印L方向に給紙が行われる。
【００３４】
次に、厚紙の記録媒体７の搬送および印字動作について説明する。図１に示すように、記録ヘッド１の下流側から第２の搬送ローラ５と従動コロ（または拍車）６に記録媒体７が矢印G方向より供給される。不図示の検知手段により、記録媒体７のセットを検知すると、第２の搬送ローラ５および従動コロ（または拍車）６が矢印Ｈ方向に回転し記録媒体７を装置本体１０の内部に引き込んでいく。記録媒体７の先端部７Aが第２の搬送ローラ５を通過し、さらに矢印G方向に搬送され、後端７Bが、紙ガイド１７にガイドされ搬送が行われ、図２に示すように、先端部７Aが第１の搬送ローラ３を抜ける手前で停止する。次に、第１の搬送ローラ３および、第２の搬送ローラ５を逆転（矢印I方向）させ、記録媒体７を矢印A方向に搬送する。次に、図３に示すように、記録ヘッド１の吐出口１A部に記録媒体７が搬送されると、記録ヘッド１の吐出口１Aより、記録媒体７に対して印字が行われる。さらに、記録媒体７が矢印A方向に搬送され、記録媒体７の先端７Aが、第２の搬送ローラ５と従動コロ（または拍車）６のニップ部に侵入する手前で、不図示の圧解除手段により、第２の搬送ローラ５の従動コロ（または拍車）を矢印E方向に圧解除する。この状態で、さらに記録媒体７を矢印A方向に搬送する。図４、図６に示すように、記録媒体７の先端７A部が、第２の搬送ローラ５のニップを追加したら、不図示の圧解除手段の圧解除状態を元に戻し、従動コロ（または拍車）６を、矢印M方向に移動させ加圧状態にする。この後は、第１の搬送ローラ３と第２の搬送ローラ５の両方で記録媒体７の矢印A方向の搬送が行われる。次に図５に示すように、記録媒体７の後端７Bが、第１の搬送ローラ３と従動コロ４のニップを通過する前に、不図示の圧解除手段により、従動コロ４を矢印N方向に圧解除する。この状態で第２の搬送ローラ５により、記録媒体７を矢印A方向に搬送し、残りの印字動作と排出動作が行われる。排出時は排紙紙ガイド１３，１４にガイドされ、装置本体１０の外に排出される。
【００３５】
以上説明したように、本構成では、従来例の課題であった、記録媒体７の先端７A、後端７Bと搬送ローラのニップで発生する精度劣化による画像低下の問題を、先端７A、後端７Bのニップ通過時には従動コロの圧を解除する構成を有することにより、従来例で発生していた、搬送精度劣化を防ぎ、厚紙印字においても高精度の搬送ができ、高画質の印字が可能となる。また、上記構成であれば、記録媒体７の先端７A、後端７B部でのフチ無し印字に対応でき、厚紙での完全フチ無し印字が実現可能となる。
【００３６】
（第２の実施例）
第２の実施例について、図７を用いて説明する。第１の実施例では、記録媒体７の装置本体への供給を本体の前面から行う構成について説明したが、本体の背面から供給する構成でも同様の効果が得られる。図７に示すように、記録媒体７を本体の背面から矢印A方向に挿入し、不図示の検知手段により、記録媒体７のセットを検知すると、第１の搬送ローラ３および従動コロ４が矢印I方向に回転し記録媒体７を装置本体１０の内部に引き込み、図２の状態の位置まで引き込まれる。その後の動作は、第１の実施例と同じであるため説明は省略する。
【００３７】
（第３の実施例）
第３の実施例について、図８を用いて説明する。第１の実施例では、第２の搬送ローラ５の従動回転体にコロを用いる構成について述べたが、図８に示すように先端に歯先を有する拍車形状のものでも同様の効果が得られる、１２は拍車であり、金属または樹脂等で構成されるものである。他の構成は、第１の実施例と同じであるため、説明は省略する。
【００３８】
（第４の実施例）
第４の実施例について図９〜図１５を用いて説明する。図９〜図１４は第４の実施例を示す本体断面図、図１５は搬送状態を示す斜視図である。
【００３９】
第４の実施例では、CD-R、DVDやカード等の記録媒体（CD）８を搭載した記録媒体搬送トレイ９の搬送構成について、装置本体の前側から供給する構成について説明する。図９に示すように、記録媒体搬送トレイ９を装置本体１０の前側から挿入する。記録媒体搬送トレイ９に設けられた位置決めの開口部９Cには、CD８が矢印F方向からセットされている。不図示の検知手段により、記録媒体搬送トレイ９のセットを検知すると、第２の搬送ローラ５および従動コロ（または拍車）６が矢印Ｈ方向に回転し記録媒体搬送トレイ９を装置本体１０の内部に引き込んでいく。記録媒体搬送トレイ９の先端部９Aが第２の搬送ローラ５を通過し、さらに矢印G方向に搬送され、後端９Bが、紙ガイド１７にガイドされ搬送が行われ、図１０に示すように、先端部９Aが第１の搬送ローラ３を抜ける手前で停止する。次に、第１の搬送ローラ３および、第２の搬送ローラ５を逆転（矢印I方向）させ、記録媒体搬送トレイ９を矢印A方向に搬送する。次に、図１１に示すように、記録ヘッド１の吐出口１A部に記録媒体搬送トレイ９上のCD８が搬送されると、記録ヘッド１の吐出口１Aより、CD８に対して印字が行われる。さらに、記録媒体搬送トレイ９が矢印A方向に搬送され、記録媒体搬送トレイ９の先端９Aが、第２の搬送ローラ５と従動コロ（または拍車）６のニップ部に侵入する手前で、不図示の圧解除手段により、第２の搬送ローラ５の従動コロ（または拍車）６を矢印E方向に圧解除する。この状態で、さらに記録媒体搬送トレイ９を矢印A方向に搬送する。図１２に示すように、記録媒体搬送トレイ９の先端９A部が、第２の搬送ローラ５のニップを追加したら、不図示の圧解除手段の圧解除状態を元に戻し、従動コロ（または拍車）６を矢印M方向に移動させ加圧状態にする。この後は、第１の搬送ローラ３と第２の搬送ローラ５の両方で記録媒体搬送トレイ９の矢印A方向の搬送が行われる。次に図１３に示すように、記録媒体搬送トレイ９の後端９Bが、第１の搬送ローラ３と従動コロ４のニップを通過する前に、不図示の圧解除手段により、従動コロ４を矢印N方向に圧解除する。次に、図１４に示すように、この状態で第２の搬送ローラ５にいより、記録媒体搬送トレイ９を矢印A方向に搬送し、残りの印字動作と排出動作が行われる。排出時は排紙紙ガイド１３，１４にガイドされ、装置本体１０の外に排出される。記録媒体搬送トレイ９が排出されると、印字されたCD８を矢印J方向に取り出し印字が終了する。以上説明したように、本構成では、従来例の課題であった、記録媒体搬送トレイ９の先端９A、後端９Bと搬送ローラのニップで発生する精度劣化による画像低下の問題を、先端９A、後端９Bのニップ通過時には従動コロの圧を解除する構成を有することにより、従来例で発生していた、搬送精度劣化を防ぎ、記録媒体搬送トレイ９を用いた記録媒体（CD）８の印字においても高精度の搬送ができ、高画質の印字が可能となる。また、上記構成であれば、記録媒体搬送トレイ９の長さを短くでき、記録媒体搬送トレイ９と装置本体１０のコンパクト化とコストダウンが行えるものである。
【００４０】
（第５の実施例）
第５の実施例について、図１６を用いて説明する。第４の実施例では、記録媒体搬送トレイ９の装置本体への供給を本体の前面から行う構成について説明したが、本体の背面から供給する構成でも同様の効果が得られる。図１６に示すように、記録媒体搬送トレイ９を本体の背面から矢印A方向に挿入し、不図示の検知手段により、記録媒体搬送トレイ９のセットを検知すると、第１の搬送ローラ３および従動コロ４が矢印I方向に回転し記録媒体搬送トレイ９を装置本体１０の内部に引き込み、図１０の状態の位置まで引き込まれる。その後の動作は、第４の実施例と同じであるため説明は省略する。
【００４１】
（第６の実施例）
第６の実施例について図１７〜図２５に用いて説明する。図１７〜２４は第６の実施例を示す本体断面図、図２５は搬送構成を示す斜視図である。
【００４２】
第４の実施例では、装置本体１０の外側から記録媒体搬送トレイ９を供給する構成について説明したが、装置本体１０の内部に、記録媒体搬送トレイ９を格納する構成でも同様の効果が得られる。
【００４３】
図１７に示すように、第１の搬送ローラ３および従動コロ４に対して、さらに印字上流側の、装置本体１０の内部に記録媒体搬送トレイ９が格納されている。１１は、記録媒体搬送トレイ９の格納時に記録媒体搬送トレイ９を保持する格納台である。次に印字動作について説明する。印字情報が与えられると、図１７に示すように記録媒体搬送トレイ９が、不図示の搬送手段により、矢印D方向に搬送され、第１の搬送ローラ３と従動コロ４に搬送される。次に図１８に示すように、記録媒体搬送トレイ９は、第１の搬送ローラ３と従動コロ４により矢印A方向に搬送される。さらに、図１９に示すように記録媒体搬送トレイ９は、矢印A方向に搬送され、第２の搬送ローラ５を通過し、記録媒体搬送トレイ９上に構成された、CD８を位置決め保持する開口部９Cが装置本体の外に露出して、ユーザがCD８を開口部９Cに装着できる（矢印F方向に装着する）位置まで搬送されて停止する。CD８が開口部９Cに装着されると、第１の搬送ローラ３および、第２の搬送ローラ５を逆転（矢印H方向）させて記録媒体搬送トレイ９を矢印G方向に搬送し、装置本体１０の内部に引き込んでいく。矢印G方向に搬送された記録媒体搬送トレイ９は、図２０に示すように、記録媒体搬送トレイ９の先端９Aが、第１の搬送ローラ３のニップ部の手前まで搬送され停止する。次に、図２１に示すように、第１の搬送ローラ３および第２の搬送ローラ５を逆転（矢印I方向）させて、記録媒体搬送トレイ９を矢印A方向に搬送する。この時、記録媒体搬送トレイ９の開口部９Cに位置決め保持された、CD８に記録ヘッド１の吐出口１Aから印字動作を行いながら矢印A方向に搬送される。記録媒体搬送トレイ９が矢印A方向に搬送され、記録媒体搬送トレイ９の先端９Aが、第２の搬送ローラ５と従動コロ（または拍車）６のニップ部に侵入する手前で、不図示の圧解除手段により、第２の搬送ローラ５の従動コロ（または拍車）６を矢印E方向に移動させ圧解除する。この状態で、さらに記録媒体搬送トレイ９を矢印A方向に搬送する。図２２、図２５に示すように、記録媒体搬送トレイ９の先端９A部が、第２の搬送ローラ５のニップを追加したら、不図示の圧解除手段の圧解除状態を元に戻し、従動コロ（または拍車）６を矢印M方向に移動させ加圧状態にする。この後は、第１の搬送ローラ３と第２の搬送ローラ５の両方で記録媒体搬送トレイ９の矢印A方向の搬送が行われる。次に図２３に示すように、記録媒体搬送トレイ９の後端９Bが、第１の搬送ローラ３と従動コロ４のニップを通過する前に、不図示の圧解除手段により、従動コロ４を矢印N方向に移動させ圧解除する。この状態で第２の搬送ローラ５により、記録媒体搬送トレイ９を矢印A方向に搬送し、残りの印字動作と排出動作が行われる。次に図２４に示すように、印字が終了し、ユーザがCD８を交換できる位置まで矢印A方向に移動し停止する。この状態で、CD８を矢印J方向に取り出し、CD８への印字は終了する。次に、第１の搬送ローラ３および第２の搬送ローラ５を逆転（矢印H方向）させて、記録媒体搬送トレイ９を矢印G方向に搬送し、装置本体１０の内部に引き込み、図１７の記録媒体搬送トレイ９が格納されている初期状態に戻って、印字動作が終了する。その他構成については実施例１と同じである���め説明は省略する。
【００４４】
（第７の実施例）
第７の実施例について、図２６、２７を用いて説明する。図２６は第７の実施例を示す本体断面図、図２７は搬送状態を示す斜視図である。
【００４５】
第４の実施例では、第１の搬送ローラ５の従動コロ（または拍車）６が記録媒体搬送トレイ９上のCD８上にも加圧する構成について述べたが、CDの印字時には、CD８に対応する従動コロ６ｃを解除状態にして、記録媒体搬送トレイ９とは当接するが、CD８とは当接しない従動コロ６ｂで搬送を行う構成でも同様の効果が得られる。CD８の印字後の表面に従動コロ６ｃを当接させないため、印字品位保護の面からはより好ましい構成となる。CD８の印字動作中は従動コロ６ｃは不図示の圧解除手段により圧を解除した状態に保ち、従動コロ６ｂは、第４の実施例で説明した従動コロ６ｂと同じ動作を行うものである。その他の構成は、第４の実施例と同じであるため説明は省略する。
【００４６】
（第８の実施例）
第８の実施例について、図２８〜３０を用いて説明する。図２８は、第８の実施例の記録媒体搬送トレイ９の搬送状態を示す斜視図である。図２９は記録媒体搬送トレイ９の搬送状態を示す斜視図である。図３０は厚紙の搬送状態を示す斜視図である。
【００４７】
図３０は、厚紙の記録媒体７の最大サイズ（幅方向）の搬送状態を示し、最大サイズの幅の外側に従動コロ４ｃ、６ｄが構成されている。図２９は記録媒体搬送トレイ９の搬送状態を示し、従動コロ４ｃ、６ｄが記録媒体搬送トレイ９の端部に当接し、かつ、CD８とは当接しない位置に配置されている。また、CDの印字時には、従動コロ６ｂを解除状態にして印字を行う構成とし、第７の実施例と同様の効果が得られる。記録媒体搬送トレイ９の搬送は従動コロ４ｃ、６ｄにより搬送が行われる。従動コロ６ｄは、第１、第４の実施例で説明した従動コロ６ｂと同じ動作を行うものである。その他の構成は、第１、第４の実施例と同じであるため説明は省略する。
【図面の簡単な説明】
【００４８】
【図１】第１の実施例を示す本体断面図
【図２】第１の実施例を示す本体断面図
【図３】第１の実施例を示す本体断面図
【図４】第１の実施例を示す本体断面図
【図５】第１の実施例を示す本体断面図
【図６】第１の実施例を示す斜視図
【図７】第２の実施例を示す本体断面図
【図８】第３の実施例を示す本体断面図
【図９】第４の実施例を示す本体断面図
【図１０】第４の実施例を示す本体断面図
【図１１】第４の実施例を示す本体断面図
【図１２】第４の実施例を示す本体断面図
【図１３】第４の実施例を示す本体断面図
【図１４】第４の実施例を示す本体断面図
【図１５】第４の実施例を示す斜視図
【図１６】第５の実施例を示す本体断面図
【図１７】第６の実施例を示す本体断面図
【図１８】第６の実施例を示す本体断面図
【図１９】第６の実施例を示す本体断面図
【図２０】第６の実施例を示す本体断面図
【図２１】第６の実施例を示す本体断面図
【図２２】第６の実施例を示す本体断面図
【図２３】第６の実施例を示す本体断面図
【図２４】第６の実施例を示す本体断面図
【図２５】第６の実施例を示す斜視図
【図２６】第７の実施例を示す本体断面図
【図２７】第７の実施例を示す斜視図
【図２８】第８の実施例を示す本体断面図
【図２９】第８の実施例を示す斜視図
【図３０】第８の実施例を示す斜視図
【図３１】従来例（厚紙の搬送）示す本体断面図
【図３２】従来例（厚紙の搬送）示す本体断面図
【図３３】従来例（厚紙の搬送）示す本体断面図
【図３４】従来例（CD搬送）を示す本体断面図
【図３５】従来例（CD搬送）を示す本体断面図
【図３６】従来例（CD搬送）を示す本体断面図
【図３７】従来例（CD搬送）を示す本体断面図
【図３８】従来例（CD搬送）を示す本体断面図
【図３９】従来例（CD搬送）を示す本体断面図
【符号の説明】
【００４９】
１  記録ヘッド
２  プラテン
３  第１の搬送ローラ
４  従動コロ
５  第２の搬送ローラ
６  従動コロ（または拍車）
７  厚紙の記録媒体
８  CDの記録媒体
９  記録媒体搬送トレイイ
１０  装置本体
１１  記録媒体搬送トレイの格納台
１３，１４  紙ガイド
１５  給紙ローラ 
１６、１７  紙ガイド
【図１】
2007118440.tif 000003
【図２】
2007118440.tif 000004
【図３】
2007118440.tif 000005
【図４】
2007118440.tif 000006
【図５】
2007118440.tif 000007
【図６】
2007118440.tif 000008
【図７】
2007118440.tif 000009
【図８】
2007118440.tif 000010
【図９】
2007118440.tif 000011
【図１０】
2007118440.tif 000012
【図１１】
2007118440.tif 000013
【図１２】
2007118440.tif 000014
【図１３】
2007118440.tif 000015
【図１４】
2007118440.tif 000016
【図１５】
2007118440.tif 000017
【図１６】
2007118440.tif 000018
【図１７】
2007118440.tif 000019
【図１８】
2007118440.tif 000020
【図１９】
2007118440.tif 000021
【図２０】
2007118440.tif 000022
【図２１】
2007118440.tif 000023
【図２２】
2007118440.tif 000024
【図２３】
2007118440.tif 000025
【図２４】
2007118440.tif 000026
【図２５】
2007118440.tif 000027
【図２６】
2007118440.tif 000028
【図２７】
2007118440.tif 000029
【図２８】
2007118440.tif 000030
【図２９】
2007118440.tif 000031
【図３０】
2007118440.tif 000032
【図３１】
2007118440.tif 000033
【図３２】
2007118440.tif 000034
【図３３】
2007118440.tif 000035
【図３４】
2007118440.tif 000036
【図３５】
2007118440.tif 000037
【図３６】
2007118440.tif 000038
【図３７】
2007118440.tif 000039
【図３８】
2007118440.tif 000040
【図３９】
2007118440.tif 000041